(57)【要約】      （修正有）【課題】簡易な構成でエアバッグ効果による緩衝作用が得られる包装体を提供する。【解決手段】包装体１０は、一端に開口する開口部を有し、他端に閉塞した底部を有し、開口部から底部に向かって形成された周壁部２３、４３を有する外袋２０及び内袋４０を備え、内袋４０は、外袋２０の内側に配置され被包装物Ｗを収容可能とされ、外袋２０と内袋４０は、気泡緩衝材で形成され、少なくとも両側辺部において重ね合わされて止着され、被包装物Ｗが収容された状態において、外袋２０と、内袋４０との間に空気層１２が形成されている。【選択図】図３
2018199521.tif 000002
【特許請求の範囲】
【請求項１】
一端に開口する開口部を有し、他端に閉塞した底部を有し、前記開口部から前記底部に向かって形成された周壁部を有する外袋及び内袋を備え、
前記内袋は、前記外袋の内側に配置され被包装物を収容可能とされ、
前記外袋と前記内袋は、気泡緩衝材で形成され、少なくとも両側辺部において重ね合わされて止着され、
前記被包装物が収容された状態において、前記外袋と、前記内袋との間に空気層が形成されていることを特徴とする包装体。
【請求項２】
前記外袋の周壁部の周長が、前記内袋の周壁部の周長より、長く設定されていることを特徴とする請求項１記載の包装体。
【請求項３】
前記内袋の周壁部の周長が、前記外袋の周壁部の周長より、長く設定されていることを特徴とする請求項１記載の包装体。
【請求項４】
前記包装体の外周縁部の少なくとも一部に、補助緩衝部が形成されていることを特徴とする請求項１、２又は３記載の包装体。
【発明の詳細な説明】
【技術分野】
【０００１】
緩衝部材を備えた包装体に関する。
【背景技術】
【０００２】
従来の包装体として、特許文献１に記載されるものがあり、これによれば、外袋部と、外袋部の内側に取り付けられ、被包装体が収容される内袋部と、を有し、内袋部の熱収縮率が外袋部の熱収縮率より大きく設定され、内袋部内に被包装体を収容した状態で熱処理することで内袋部と外袋部の間に空間が生じ、該空間のエアバッグ効果による緩衝作用により、被包装体が保護されることとされていた。
【先行技術文献】
【特許文献】
【０００３】
【特許文献１】特開２０１３−２２４１６４号公報
【発明の概要】
【発明が解決しようとする課題】
【０００４】
しかし、上記の包装体では、内袋部内に被包装体を収容した状態で熱処理しなければならないため、より簡易な構成でエアバッグ効果による緩衝作用が得られることが望まれていた。
【０００５】
本発明は、上記事情に鑑み、簡易な構成でエアバッグ効果による緩衝作用が得られる包装体を提供するものである。
【課題を解決するための手段】
【０００６】
請求項１記載の発明では、一端に開口する開口部を有し、他端に閉塞した底部を有し、前記開口部から前記底部に向かって形成された周壁部を有する外袋及び内袋を備え、前記内袋は、前記外袋の内側に配置され被包装物を収容可能とされ、前記外袋と前記内袋は、気泡緩衝材で形成され、少なくとも両側辺部において重ね合わされて止着され、前記被包装物が収容された状態において、前記外袋と、前記内袋との間に空気層が形成されている。
【０００７】
これによれば、外袋及び内袋を、気泡部により被包装物の形状に追随しにくくなる気泡緩衝材で形成することで、外袋と内袋とがぴったりくっついてしまうことを抑制できるので、外袋と、内袋との間に空気層が形成されやすくなる。また、外袋と内袋とがずれることで衝撃を逃がす。よって、簡易な構成でエアバッグ効果による緩衝作用が得られる包装体を提供することができる。
【０００８】
また、前記外袋の周壁部の周長が、前記内袋の周壁部の周長より、長く設定されている。
【０００９】
これによれば、外袋の周壁部が、内袋の周壁部に対して余って弛み、外袋と、内袋との間に空間が生じやすくなるので、簡易な構成でエアバッグ効果による緩衝作用が得られる包装体を提供することに寄与する。
【００１０】
また、前記内袋の周壁部の周長が、前記外袋の周壁部の周長より、長く設定されている。
【００１１】
これによれば、内袋の周壁部が、外袋の周壁部に対して余って屈曲し、外袋と、内袋との間に空間が生じやすくなるので、簡易な構成でエアバッグ効果による緩衝作用が得られる包装体を提供することに寄与する。
【００１２】
また、前記包装体の外周縁部の少なくとも一部に、補助緩衝部が形成されている。
【００１３】
これによれば、包装体の外周縁部に、衝撃を吸収する補助緩衝部を形成することで、エアバッグ効果による緩衝作用を向上させることができる。
【図面の簡単な説明】
【００１４】
【図１】本発明の第一の実施形態における包装体の斜視図である。
【図２】同実施形態の包装体のＩＩ−ＩＩ線矢視断面図である。
【図３】被包装物を収容したときの図２に対応する断面図である。
【図４】本発明の第二の実施形態における包装体の図２に対応する断面図である。
【図５】被包装物を収容したときの図４に対応する断面図である。
【図６】本発明の第三の実施形態における包装体の斜視図である。
【図７】図６におけるＶＩＩ−ＶＩＩ線矢視断面図である。
【図８】本発明の第四の実施形態における包装体の斜視図である。
【図９】図８におけるＩＸ−ＩＸ線矢視断面図である。
【発明を実施するための形態】
【００１５】
本発明の包装体の第一の実施形態について図面に基づいて説明する。
【００１６】
包装体１０は、図１〜３に示すように、外袋２０と、内袋４０と、を備え、内袋４０の内部に被包装物Ｗを収容可能とされている。以下の説明において、各図面の矢印の、Ｆを前、Ｂを後ろ、Ｒを右、Ｌを左、Ｕを上、Ｄを下、とする。
【００１７】
外袋２０は、上端が開口する開口部２１を有し、下端端が閉塞した底部２２を有し、前後方向からみて開口部２１から底部２２に向かって矩形状に形成された周壁部２３を備えて構成される。前側の開口部２１から矩形状の蓋部２４が上方向に延設されている。
【００１８】
外袋２０は、アルミニウムシート２０ｄが貼着されたポリエチレン製の気泡緩衝材で形成され、前後方向において一枚の気泡緩衝材のシートを折り重ねて、図２の上側の丸内に示すように、前後方向の断面が、外側からアルミニウムシート２０ｄ、シート２０ａと、気泡部２０ｂ１を形成する気泡部シート２０ｂと、シート２０ｃを有するものが用いられている。
【００１９】
内袋４０は、上端が開口する開口部４１を有し、下端端が閉塞した底部４２を有し、前後方向からみて開口部４１から底部４２に向かって矩形状に形成された周壁部４３を備えて構成される。内袋４０は、外袋２０より上下方向の長さが若干短く形成されている。
【００２０】
内袋４０は、ポリエチレン製の気泡緩衝材で形成され、前後方向において一枚の気泡緩衝材のシートを折り重ねて、図２の下側の丸内に示すように、前後方向の断面が、外側からシート４０ａと、気泡部４０ｂ１を形成する気泡部シート４０ｂと、シート４０ｃを有するものが用いられている。
【００２１】
内袋４０は、外袋２０の内側に配置されている。本実施形態では、内袋４０及び外袋２０を構成する気泡緩衝材のシートを二枚重ねて配置し、前後方向において重ね合わせて二つ折りし、外袋２０の左右方向における端部と、内袋４０の左右方向における端部と、を重ね合わされて溶着されている。換言すれば、外袋２０と内袋４０の両側片部において、溶着されていることになる。当該溶着部分が、包装体１０の第一溶着部１１とされる。なお、第一溶着部１１は、上端部に内袋４０のみが溶着された部分を有している。
【００２２】
そして、外袋２０の周壁部２３の周長Ｌ１が、内袋４０の周壁部４３の周長Ｌ２より、長く設定されている。なお、「周長」とは、周壁部２３、４３の、第一溶着部１１、後述する、補助緩衝部１４、第二溶着部１５を含まない部分の上下方向からみた長さとする。
【００２３】
包装体１０の使用態様について説明する。被包装物Ｗは、図３に示すように、直方体状の箱体であるものとする。
【００２４】
内袋４０内に被包装物Ｗを収容して、貼着部材を用いて蓋部２４で開口部２１、４１を閉塞させる。このとき、外袋２０及び内袋４０は、気泡緩衝材で形成されているので、気泡部２０ｂ１、４０ｂ１のエアクッション効果により、被包装物Ｗの形状に追随しにくいとともに、外袋２０の周壁部２３の周長Ｌ１が、内袋４０の周壁部４３の周長Ｌ２より、長く設定されているので、外袋２０が内袋４０に対して弛んだ状態となる。これにより、外袋２０と内袋４０とがぴったりくっついてしまうことを抑制できるので、外袋２０と、内袋４０との間に空気層１２が形成されやすくなり、エアバッグ効果による緩衝作用が得られる。また、外袋２０と内袋４０とがずれることで衝撃を逃がすことになる。
【００２５】
上記構成の包装体１０では、一端に開口する開口部２１、４１を有し、他端に閉塞した底部２２、４２を有し、開口部２１、４１から底部２２、４２に向かって形成された周壁部２３、４３を有する外袋２０及び内袋４０を備え、内袋４０は、外袋２０の内側に配置され被包装物Ｗを収容可能とされ、外袋２０と内袋４０は、気泡緩衝材で形成され、少なくとも両側辺部において重ね合わされて止着され、被包装物Ｗが収容された状態において、外袋２０と、内袋４０との間に空気層１２が形成されている。
【００２６】
これによれば、外袋２０及び内袋４０を、気泡部２０ｂ１、４０ｂ１により被包装物Ｗの形状に追随しにくくなる気泡緩衝材で形成することで、外袋２０と内袋４０とがぴったりくっついてしまうことを抑制できるので、外袋２０と、内袋４０との間に空気層１２が形成されやすくなる。また、外袋２０と内袋４０とがずれることで衝撃を逃がす。よって、簡易な構成でエアバッグ効果による緩衝作用が得られる包装体を提供することができる。
【００２７】
また、外袋２０の周壁部２３の周長Ｌ１が、内袋４０の周壁部４３の周長Ｌ２より、長く設定されている。
【００２８】
これによれば、外袋２０の周壁部２３が、内袋４０の周壁部４３に対して余って弛み、外袋２０と、内袋４０との間に空間が生じやすくなるので、簡易な構成でエアバッグ効果による緩衝作用が得られる包装体を提供することに寄与する。
【００２９】
本発明の第二の実施形態について説明する。以下の説明において、上述した実施形態と同じ構成については、同じ符号を付し説明の全部又は一部を省略する。
【００３０】
本実施形態では、包装体１０Ａは、図４、５に示すように、内袋４０の周壁部４３の周長Ｌ２が、外袋２０の周壁部２３の周長Ｌ１より、長く設定され、内袋４０が外袋２０に対して弛んだ状態となっている。
【００３１】
これによれば、内袋４０の周壁部４３が、外袋２０の周壁部２３に対して余って屈曲し、外袋２０と、内袋４０との間に空間が生じやすくなるので、簡易な構成でエアバッグ効果による緩衝作用が得られる包装体を提供することに寄与する。
【００３２】
本発明の第三の実施形態について説明する。以下の説明において、上述した実施形態と同じ構成については、同じ符号を付し説明の全部又は一部を省略する。
【００３３】
本実施形態では、包装体１０Ｂは、図６，７に示すように、包装体１０の外周縁部１３の一部に、補助緩衝部１４が形成されている。
【００３４】
そして、被包装物Ｗの形状に追随しにくいことを考慮して、外袋２０の周壁部２３の周長Ｌ１と、内袋４０の周壁部４３の周長Ｌ２と、を同一に設定している。
【００３５】
なお、この場合「同一」の解釈としては、物理的に「周長が同一」であるものだけでなく、寸法公差、加工精度による製品のばらつき等、出願時の技術常識を参酌して「略同一の長さ」のものが含まれるものとする。
【００３６】
第一溶着部１１の内側、かつ、底部２２、４２の内側に、略コの字状の第二溶着部１５が設けられている。そして、外袋２０の周壁部２３と内袋４０の周壁部４３との間に第二空気層１６が生じるように形成されている。
【００３７】
これによれば、包装体１０の外周縁部１３に、衝撃を吸収する補助緩衝部１４を形成することで、エアバッグ効果による緩衝作用を向上させることができる。特に、包装体１０が、比較的面積が少ない外周縁部１３から落下するような場合に、有効となる。
【００３８】
本発明の第四の実施形態について説明する。以下の説明において、上述した実施形態と同じ構成については、同じ符号を付し説明の全部又は一部を省略する。
【００３９】
本実施形態では、包装体１０Ｃは、図８、９に示すように、外袋２０の周壁部２３と、内袋４０の周壁部４３の上下方向の長さが、外袋２０の周壁部２３の方が長く設定されている。そして、第一溶着部１１は、上端部及び下端部が外袋２０の周壁部２３のみが重ね合わされて溶着され、それ以外の部分が、外袋２０の左右方向における端部と、内袋４０の左右方向における端部と、が重ね合わされて溶着されている状態となっている。
【００４０】
つまり、外袋２０の底部２２と、内袋４０の底部４２とが、上下方向において、位置をずらすように配置され、外袋２０と、内袋４０との間に空間に第二空気層１６を形成している。
【００４１】
このような構成によって補助緩衝部１４を形成しても、エアバッグ効果による緩衝作用を向上させることができる。
【００４２】
本発明の包装体は上記構成に限定されるものではない。即ち、本発明の要旨を逸脱しない限り各種の設計変更等が可能である。
【００４３】
例えば、包装体１０Ｂにおいて、内袋４０内に第二空気層１６が生じるように形成することも可能である。
【００４４】
なお、本出願人は、外袋２０の周壁部２３の周長Ｌ１と、内袋４０の周壁部４３の周長Ｌ２と、を略同一に設定し底部２２、４２側のみに補助緩衝部１４を設けた包装体１０Ｂに準じる包装体で落下試験を行っている。以下にその詳細を述べる。ＪＩＳ  Ｚ  ０２１７  クラフト紙袋―落下試験方法  に準じて落下試験を行った。
【００４５】
包装体の内袋４０内に、被包装物Ｗとして陶器製皿を一つ収容して、試験条件として、温度２０℃／湿度３０％Ｒ．Ｈ、落下高さ１２０ｃｍ、落下箇所  表面（後面）、裏面（前面）、上端部（開口部）、下端部（底部）、右側、左側、落下回数  落下箇所に対し各１０回ずつ、行った。
【００４６】
試験結果として、収容され陶器製皿の外観異常なし、の結果を得た。なお、本出願人は、気泡緩衝材を二重に貼り合わせた包装体（換言すれば、外袋２０及び内袋４０が密着した包装体）を用いて、同様の落下試験を行っているが、陶器製皿は破損している。上記試験結果より、空気層１２、及び第二空気層１６によるエアバッグ効果による緩衝作用が得られたものといえる。
【００４７】
また、下端部以外においても、われものであり取り扱いに注意を要する陶器製皿は破損していないので、われものより取扱いに注意を要さない被包装物Ｗであれば、補助緩衝部１４を備えない構成であっても、十分なエアバッグ効果による緩衝作用が得られるものと推認される。
【符号の説明】
【００４８】
１０  包装体
１０Ａ  包装体
１０Ｂ  包装体
１０Ｃ  包装体
１２  空気層
１３  外周縁部
１４  補助緩衝部
２０  外袋
２１  開口部
２２  底部
２３  周壁部
２４  蓋部
４０  内袋
４１  開口部
４２  底部
４３  周壁部
Ｌ１  周長
Ｌ２  周長
Ｗ  被包装物
【図１】
2018199521.tif 000003
【図２】
2018199521.tif 000004
【図３】
2018199521.tif 000005
【図４】
2018199521.tif 000006
【図５】
2018199521.tif 000007
【図６】
2018199521.tif 000008
【図７】
2018199521.tif 000009
【図８】
2018199521.tif 000010
【図９】
2018199521.tif 000011